(57)【要約】      （修正有）【課題】動作部の先端部分がどの方向を向いているかを目視しなくても確認できる片手握り具を提供する。【解決手段】魚の口へ挿入して釣り針を引っかけるための針掛け部材１０と、その針掛け部材１０を操作する釣り人が握るためのグリップ部材２０と、そのグリップ部材２０へ針掛け部材１０を固定するための針掛け固定部材３０と、を備える。グリップ部材２０は、釣り人が握った場合の親指が位置する付近を異形な部位としての方向認識部となる凹み部２１を備える。針掛け部材１０は、釣り上げた魚に刺して手元に引き寄せるための鈎部材、釣り餌を撒く際に用いる柄杓のカップ部としてもよい。【選択図】図１
0003190148.tif 000002
【実用新案登録請求の範囲】
【請求項１】
釣りの際に片手で握って所定の目的のために動作させる片手握り具であって、
釣り人が握るためのグリップ部材と、
そのグリップ部材から突出する動作部材と、
その動作部材を前記グリップ部材へ固定する固定部材と、を備え、
前記のグリップ部材は、釣り人が握った場合に他の部位とは異なる感触を認識できる異形な部位としての方向認識部を備えた片手握り具。
【請求項２】
前記の方向認識部と動作部材の先端部との回転方向の位置関係を変更可能であるように、グリップ部材へ前記の動作部材を固定可能に形成した請求項１に記載の片手握り具。
【請求項３】
前記の方向認識部と動作部材の長手方向の位置関係を変更可能であるように、グリップ部材へ前記の動作部材を固定可能に形成した請求項１または請求項２のいずれかに記載の片手握り具。
【請求項４】
前記の動作部材は、魚に掛かった釣り針を取り外すための針掛け部材とした請求項１から請求項３のいずれかに記載の片手握り具。
【請求項５】
前記の動作部材は、釣り上げた魚に刺して手元に引き寄せるための鈎部材とした請求項１から請求項３のいずれかに記載の片手握り具。
【請求項６】
前記の動作部材は、釣り餌を撒く際に用いる柄杓のカップ部とした請求項１から請求項３のいずれかに記載の片手握り具。
【考案の詳細な説明】
【技術分野】
【０００１】
本考案は、釣りの際に片手で握って所定の目的のために動作させる片手握り具に関する。
【背景技術】
【０００２】
従来、釣り上げた魚がくわえ込んだ釣り針を外すため「釣り針外し具」としては、様々な形態のものが提案されている。例えば、特許文献１で見られるようにフック部の途中に折り曲げた部位を備えるもの（図４（ａ））、特許文献２で見られるように湾曲させたフック部の途中に小さな湾曲部を備えるもの（図４（ｂ））などがある。
いずれも、フックの先端を釣り上げた魚の口の中へ突っ込むという使い方ができるだけでなく、途中の折り曲げた部位または小さな湾曲部をつかって、魚に引っかかった釣り針を外す、という使い方もできる。
【０００３】
また、特許文献３には、ギャフ（釣り上げた魚に刺して手元に引き寄せる道具）に釣り針外しの機能を持たせたものが開示されている（図４（ｃ））。
【先行技術文献】
【特許文献】
【０００４】
【特許文献１】特開２０１０−１８３８９８公報
【特許文献２】実開平６−１９４７６号公報
【特許文献３】実用新案登録３０５８４８１号公報
【考案の開示】
【考案が解決しようとする課題】
【０００５】
さて、通常は、利き手に釣り針外し具を握り、他方の手で魚体を押さえながら、釣り針を外す作業をすることとなる。魚体を片手では押さえきれず、釣り針外し具を握った手を補助として使わざるをえないこともしばしばである。魚体を片手で押さえることができたとしても、釣り人の視線は魚体に集中している（集中させていたい）。
【０００６】
しかし、現在の釣り針外し具は、特許文献１に代表されるように、グリップ（１）の形状が円柱など回転体であることが多い。そのため、握っている釣り針外し具を目視しないと、魚体へ挿入する先端部分がどの方向を向いているかを確認できない。
特許文献３に開示されたギャフの場合は、グリップ（把持部材）は、角を落とした平板状としているので、方向は主に二種類しかないが、目視しないと握る向きを間違えることがあるのは、ギャフ、撒き餌に用いる柄杓も同様である。
【０００７】
本考案が解決すべき課題は、釣りの際に片手で握って所定の目的のために動作させる片手握り具を握っている場合に、動作部の先端部分がどの方向を向いているかを目視しなくても確認できる片手握り具を提供することにある。
【課題を解決するための手段】
【０００８】
（第一の考案）
第一の考案は、釣りの際に片手で握って所定の目的のために動作させる片手握り具に係る。
すなわち、釣り人が握るためのグリップ部材(20)と、  そのグリップ部材(20)から突出する動作部材と、その動作部材を前記グリップ部材(20)へ固定する固定部材(30)と、を備える。  前記のグリップ部材(20)は、釣り人が握った場合に他の部位とは異なる感触を認識できる異形な部位としての方向認識部(たとえば凹み部21)を備えた片手握り具。
【０００９】
（用語説明）
「グリップ部材(20)」は、円柱形などの回転体、長手方向に垂直な断面形状を正多角形などの形状が一般的である。
「方向認識部(21)」は、グリップ部材(20)の周方向において、釣り人の握り手にて手触りで認識できる部位である。たとえば、握り手の親指が当たる位置に、凹みや出っ張り、手触りが他の部位とは異なる構造、などを備えることとして形成することができる。
「固定部材(30)」は、針掛け部材(10)が着脱自在であるように固定できることが望ましいが、着脱できない構造に固定する構造のものを排除する趣旨ではない。
【００１０】
（作用）
グリップ部材(20)を握った釣り人は、方向認識部(21)を手触りで認識する。そして、方向認識部(21)を認識した状態において、針掛け部材(10)がどの位置に来るかを体得する。
体得後は、本願に係る片手握り具を目視しなくても、針掛け部材(10)がどの位置に来るか、分かることとなる。そのため、本来の作業に集中できる。
【００１１】
（第一の考案のバリエーション１）
第一の考案は、前記の方向認識部(21)と動作部材の先端部との回転方向の位置関係を変更可能であるように、グリップ部材(20)へ前記の動作部材を固定可能に形成することが望ましい。
方向認識部(21)と先端部との位置関係を変更な構造としては、たとえば、変更が数カ所に限られる構造（図２（ａ）参照）、連続的に変更が可能な構造、のいずれをも含む。
【００１２】
（作用）
方向認識部(21)と先端部との位置関係を変更可能なので、釣り人は、方向認識部(21)と先端部との位置関係を、自分の好みで変更できる。
【００１３】
（第一の考案のバリエーション２）
第一の考案は、前記の方向認識部(21)と動作部材の長手方向の位置関係を変更可能であるように、グリップ部材(20)へ前記の動作部材を固定可能に形成することが望ましい。
たとえば、グリップ部材(20)に、動作部材の端部付近を十分に収納可能な挿入穴を備えておき、その挿入長さを自在にして、固定部材(30)にて固定するのである。
【００１４】
（第一の考案のバリエーション３）
第一の考案は、前記の動作部材を、魚に掛かった釣り針を取り外すための針掛け部材(10)として形成した釣り針外し具とすることができる。
【００１５】
（第一の考案のバリエーション４）
第一の考案は、前記の動作部材を、釣り上げた魚に刺して手元に引き寄せるための鈎部材(40)としたギャフとすることができる。
【００１６】
（第一の考案のバリエーション５）
第一の考案は、前記の動作部材を、釣り餌を撒く際に用いる柄杓のカップ部(50)とした柄杓とすることができる。
【考案の効果】
【００１７】
第一の考案によれば、釣りの際に片手で握って所定の目的のために動作させる片手握り具を握っている場合に、動作部の先端部分がどの方向を向いているかを目視しなくても確認できる片手握り具を提供することができた。
【図面の簡単な説明】
【００１８】
【図１】本考案の第一の実施形態に係る釣り針外し具を示す四面図である。
【図２】本考案の第二の実施形態における主要部の斜視図、第三の実施形態における主要部の側面図である。
【図３】本考案における第三の実施形態に係るギャフを示す斜視図である。
【図４】本考案における第四の実施形態に係る柄杓を示す斜視図である。
【図５】本考案における第五の実施形態に係る柄杓を示す斜視図である。
【図６】本考案における第六の実施形態に係る柄杓を示す斜視図である。
【図７】従来技術としての特許文献に開示された釣り針外し具またはギャフを示す図である。
【考案を実施するための形態】
【００１９】
以下、本考案の実施形態について図面を参照して説明する。ここで使用するのは、図１から図６である。なお、図７に示されている部品番号は、本願とは無関係である。
【００２０】
（図１）
図１に示すように、本実施形態に係る釣り針外し具は、釣り人が片方の手で握る略円柱形のグリップ部材２０と、その円柱形における長手方向の一端に固定される針掛け部材１０と、その針掛け部材１０を前記のグリップ部材２０へ固定するための針掛け固定部材３０と、を備える。
【００２１】
針掛け部材１０は、金属製の線材を屈曲して形成されている。グリップ部材２０とは反対側は星を描くような屈曲をなし、針掛け先端部１１は、釣り針を飲み込んだ魚の口へ挿入して釣り針を取り外しやすい形状をなす。
針掛け先端部１１とは反対側の端部は、針掛け根本部１２としており、グリップ部材２０に設けられた挿入穴へ差し込まれ、固定部材３０にて固定される。
【００２２】
固定部材３０は、図１に示す実施形態においては、針掛け根本部１２の軸方向と直角をなす方向を軸方向とする固定用ネジ３１をねじ込むことで、針掛け部材１０をグリップ部材２０に対して固定する。
固定用ネジ３１は、六角レンチ用の穴を頭部に備えている。したがって、釣り人が六角レンチにて緩めることも締め付けることもできるようにしてある。
【００２３】
なお、グリップ部材２０は、針掛け根本部１２をどれだけ挿入するかを、釣り人が自分の好みで調整して固定する。ただし、最低限挿入しなければならない長さを示す部位には、目印が設けてある。
【００２４】
前記のグリップ部材２０は、釣り人が握った場合に他の部位とは異なる感触を認識できる異形な部位としての方向認識部として、凹み部２１を備えている。この凹み部２１は、釣り人が握った場合に、親指が位置する付近としている。
なお、釣り人は、六角レンチを用いて固定用ネジ３１を緩め、針掛け先端部１１が凹み部２１との関係でどの位置になるか、を自分の好みで調整することができる。
【００２５】
（図２）
図２（ａ）示すのは、針掛け部材１０をグリップ部材２０へ固定するための構造としてのバリエーションである。すなわち、針掛け部材１０の針掛け根本部１２を、長手方向に垂直な断面形状が正六角形となる六角部１３としている。そして、図示を省略するが、グリップ部材２０における挿入穴も、長手方向に垂直な断面形状を正六角形とするのである。
釣り人は、六角レンチを用いて固定用ネジ３１を緩め、針掛け先端部１１が凹み部２１との関係でどの位置になるか、６種類の中から選択し、固定用ネジ３１を締める。
【００２６】
図２（ｂ）および（ｃ）に示すのも、針掛け部材１０をグリップ部材２０へ固定するための構造としてのバリエーションである。すなわち、グリップ部材２０における針掛け部材１０側の端部には、円錐台形状のグリップキャップ２２を固定する。一方、針掛け部材１０における針掛け根本部１２側には、前記のグリップキャップ２２に対してネジ止め可能な固定用キャップ３２を備えている。
釣り人は、グリップキャップ２２に対して固定用キャップ３２を緩めてから、針掛け先端部１１が凹み部２１との関係でどの位置になるかを自分の好みとなるように針掛け先端部１１の角度を調整し、その調整位置において固定用キャップ３２をグリップキャップ２２に対して締結する。また、針掛け部材１０の軸方向長さの調整も可能である。
【００２７】
図１、図２のいずれに示す釣り針外し具によっても、釣り人が釣り針外し具を握っている場合に、魚体へ挿入する先端部分がどの方向を向いているかを目視しなくても確認できる。
【００２８】
図示は省略するが、「方向認識部」は、図１に示す実施形態において、握り手の親指が当たる位置に備えた凹み部２１としたが、凹ませるという形状に限られない。グリップ部材２０の周方向において、釣り人の握り手にて手触りで認識できる部位であればよい。たとえば、握り手の親指が当たる位置に、出っ張り部分を備えてもよいし、手触りが他の部位とは異なる構造、などを備えることとして形成することもできる。
【００２９】
図３（ａ）、（ｂ）、（ｃ）、（ｄ）は、いずれもギャフである。いずれのギャフも、釣り上げた魚体へ刺すための鈎部材４０と、その鈎部材４０を操作する釣り人が握るためのグリップ部材２０と、そのグリップ部材２０へ前記の鈎部材４０を固定するための固定部材３０と、を備える。
【００３０】
図３（ａ）に示すギャフは、鈎部材４０が比較的長いものである。このギャフにおけるグリップ部材２０には、二箇所の方向認識部としての凹み部２１を備えている。  また、鈎部材４０は、固定ネジ３１を介してグリップ部材２０へ固定する。
【００３１】
図３（ｂ）に示すギャフは、鈎部材４０が比較的短く、グリップ部材２０が比較的長い。このギャフにおけるグリップ部材２０には、三箇所の方向認識部としての突起部２３を備えている。  また、鈎部材４０は、固定用キャップ３２グリップ部材２０へ固定する。
【００３２】
図３（ｃ）に示すギャフは、鈎部材４０、グリップ部材２０ともに比較的短い。また、グリップ部材２０には、二箇所のくびれを備えているが、回転体である。そして、グリップ部材２０には、方向認識部としての凹み部２１を三箇所備えている。
【００３３】
図３（ｄ）に示すギャフは、鈎部材４０が二股となっている。そして、このグリップ部材２０は、円柱形の一部を削り落とした平板部２４を方向認識部として備えている。
【００３４】
図３に示すギャフにおいても、釣り人は、握っているギャフを目視せずに、鈎部材４０の先端部４１がどちらを向いているかを認識することができる。
【００３５】
図４に示すのは、釣り餌を撒く際に用いる柄杓のカップ部５０を備えた柄杓である。グリップ部材２０の一部（いわゆる背中側）に長方形薄板状の突起部２３を備えることで、方向認識部として機能させている。
【００３６】
図５もまた、釣り餌を撒く際に用いる柄杓のカップ部５０を備えた柄杓である。グリップ部材２０の一部（いわゆる側部の一方）に凹み部２１を備えることで、方向認識部として機能させている。
【００３７】
図６もまた、釣り餌を撒く際に用いる柄杓のカップ部５０を備えた柄杓である。グリップ部材２０の一部（いわゆる側部の一方）に半球状の突起部２３を備えることで、方向認識部として機能させている。
【産業上の利用可能性】
【００３８】
本考案は、釣り具の製造業、販売業またはレンタル業、アウトドアスポーツのインストラクター事業などにおいて、利用可能性を有する。
【符号の説明】
【００３９】
１０；  針掛け部材          １１；  針掛け先端部
１２；  針掛け根本部        １３；  六角部
２０；  グリップ部材        ２１；  凹み部
２２；  グリップキャップ    ２３；  突起部
２４；  平板部
３０；  固定部材            ３１；  固定用ネジ
３２；  固定用キャップ
４０；  鈎部材              ４１；  鈎先端部
５０；  カップ部
【図１】
0003190148.tif 000003
【図２】
0003190148.tif 000004
【図３】
0003190148.tif 000005
【図４】
0003190148.tif 000006
【図５】
0003190148.tif 000007
【図６】
0003190148.tif 000008
【図７】
0003190148.tif 000009